(57)【要約】【課題】一つの端子に複数の電線を確実に接続できるとともに、端子に電線を接続する際の作業性にも優れた端子構造を提供する。【解決手段】端子板１１に基部が固定された雌ねじ部材２１と、該雌ねじ部材の先端側から螺着されて雌ねじ部材の胴部に設けた径方向の電線挿通孔２７に挿入される裸電線２８を雄ねじ部先端で固定するための電線固定ボルト２２と、該電線固定ボルトの雄ねじ部２２ａに螺合して前記雌ねじ部材の先端面との間に挿入される圧着端子３０を固定するための端子固定ナット２３とを備える。さらに、端子固定ナットの二面幅を、電線固定ボルトにおけるボルト頭の対角線長さより大きくする。【選択図】図１
2011054414.tif 000002
【特許請求の範囲】
【請求項１】
端子板に設けた一つの端子に複数の電線を接続可能とした端子構造において、前記端子板に基部が固定された雌ねじ部材と、該雌ねじ部材の先端側から螺着されて前記雌ねじ部材の胴部に設けた径方向の電線挿通孔に挿入される電線を雄ねじ部先端で固定するための電線固定ボルトと、該電線固定ボルトの雄ねじ部に螺合して前記雌ねじ部材の先端面との間に挿入される端子を固定するための端子固定ナットとを備えていることを特徴とする端子構造。
【請求項２】
前記端子固定ナットの二面幅を、前記電線固定ボルトにおけるボルト頭の対角線長さより大きくしたことを特徴とする請求項１記載の端子構造。
【請求項３】
前記電線固定ボルトが六角ボルトであり、前記端子固定ナットは、前記六角ボルトと同じ規格の六角ナットに、前記六角ナットの外面に係止するナット係止部を内面に有し、ナット締結具が係合する係合面を外面に有する拡頭部材を嵌着して形成されていることを特徴とする請求項２記載の端子構造。
【発明の詳細な説明】
【技術分野】
【０００１】
本発明は、端子構造に関し、詳しくは、端子板に設けた一つの端子に複数の電線を接続可能とした端子構造に関する。
【背景技術】
【０００２】
エンジン発電機やエンジン溶接機などに設けられている出力端子に複数の電線を接続する構造として、裸電線と圧着端子とを固定可能とした入出力端子が知られている（例えば、特許文献１参照。）。
【先行技術文献】
【特許文献】
【０００３】
【特許文献１】特開２００６−２６０９３７号公報
【発明の概要】
【発明が解決しようとする課題】
【０００４】
しかし、特許文献１に記載された端子構造では、１本のボルトの先端で裸電線を締め付け固定し、頭部で圧着端子を締め付け固定するようにしているため、裸電線の太さが大きく異なったり、圧着端子の厚さが大きく異なったりした場合には、裸電線又は圧着端子を十分に締め付けられなくなるおそれがあった。
【０００５】
そこで本発明は、一つの端子に複数の電線を確実に接続できるとともに、端子に電線を接続する際の作業性にも優れた端子構造を提供することを目的としている。
【課題を解決するための手段】
【０００６】
上記目的を達成するため、本発明の端子構造は、端子板に設けた一つの端子に複数の電線を接続可能とした端子構造において、前記端子板に基部が固定された雌ねじ部材と、該雌ねじ部材の先端側から螺着されて前記雌ねじ部材の胴部に設けた径方向の電線挿通孔に挿入される電線を雄ねじ部先端で固定するための電線固定ボルトと、該電線固定ボルトの雄ねじ部に螺合して前記雌ねじ部材の先端面との間に挿入される端子を固定するための端子固定ナットとを備えていることを特徴とし、特に、前記端子固定ナットの二面幅を、前記電線固定ボルトにおけるボルト頭の対角線長さより大きくしたことを特徴としている。
【０００７】
さらに、本発明の端子構造は、前記電線固定ボルトが六角ボルトであり、前記端子固定ナットは、前記六角ボルトと同じ規格の六角ナットに、前記六角ナットの外面に係止するナット係止部を内面に有し、ナット締結用の工具が係合する係合面を外面に有する拡頭部材を嵌着して形成されていることを特徴としている。
【発明の効果】
【０００８】
本発明の端子構造によれば、一つの電線は被覆を除去した裸電線として電線挿通孔に挿入し、該裸電線を電線固定ボルトの先端により固定するとともに、他の電線は先端に圧着端子などの端子を取り付け、この端子を雌ねじ部材と端子固定ナットとの間に固定するようにしているので、裸電線の太さや端子の厚さには関係なく両者を確実に締め付け固定することができる。
【０００９】
また、端子固定ナットの二面幅を電線固定ボルトのボルト頭の対角線長さより大きくすることにより、端子固定ナットの締め付けにソケットのような工具を用いることが可能となり、端子固定ナットによる端子の締め付け固定を容易かつ確実に行うことができる。さらに、六角ボルトからなる電線固定ボルトと同じ規格の六角ナットに拡頭部材を嵌着して端子固定ナットとすることにより、電線固定ボルトのボルト頭より大きな外形を有する端子固定ナットを容易に得ることができる。
【図面の簡単な説明】
【００１０】
【図１】本発明の端子構造の一形態例を示す断面正面図である。
【図２】同じく分解斜視図である。
【図３】同じく断面平面図である。
【図４】同じく電線固定ボルトの頭部側から見た側面図である。
【図５】本発明の端子構造を適用した一例を示すエンジン発電機の正面図である。
【図６】エンジン発電機の端子板部分を示す断面側面図である。
【図７】端子固定ナットの他の形態例を示す分解斜視図である。
【発明を実施するための形態】
【００１１】
まず、図５及び図６は、本発明の端子構造を、端子板１１に設けられる複数の出力端子１２として使用したエンジン発電機１３を示している。エンジン発電機１３は、ケーシング１４の内部に、エンジン、発電機、電装品、冷却ファン、燃料タンクなどを収容するとともに、ケーシング１４の前面に、負荷や増設端子箱への負荷側電線１５を接続するための出力端子台１６を設けている。出力端子台１６は、ケーシング前面板から凹んだ状態で設けられており、出力端子台１６の前面開口には、開閉可能な出力端子台カバー１７が設けられている。出力端子１２は、出力端子台１６の奥部に位置する前記端子板１１に取り付けられており、出力端子１２のケーシング内部側には、発電機側電線１８（図１参照）が接続されている。
【００１２】
本形態例に示す出力端子１２は、円柱状の雌ねじ部材２１と、該雌ねじ部材２１に螺着される電線固定ボルト２２と、該電線固定ボルト２２の雄ねじ部２２ａに螺合した端子固定ナット２３とを有するもので、雌ねじ部材２１は、端子板１１に設けた通孔１１ａから端子板前面側に突出する雄ねじ部材２４の先端部２４ａに基部２１ａが螺着され、通孔１１ａから端子板後面側に突出する雄ねじ部材２４の基端部２４ｂ側に螺着される第１ナット２５と雌ねじ部材２１の基部２１ａとで端子板１１を挟み込むことにより、出力端子１２を端子板１１に固定している。さらに、雄ねじ部材２４の基端部２４ｂには、発電機側電線１８に取り付けられた圧着端子１８ａが接続され、第２ナット２６によって固定されている。
【００１３】
また、雌ねじ部材２１の胴部には、径方向の電線挿通孔２７が設けられている。雌ねじ部材２１の大きさや電線挿通孔２７の内径は、出力端子１２に接続される裸電線２８の外径に応じて設定されており、前記雄ねじ部材２４の先端が電線挿通孔２７の内周面と面一になるように、雌ねじ部材２１と雄ねじ部材２４との螺着量が設定されている。
【００１４】
雌ねじ部材２１の先端部２１ｂには、前記電線固定ボルト２２が螺着され、この電線固定ボルト２２を締め付けることにより、電線挿通孔２７内に挿入された裸電線２８を、電線固定ボルト２２の雄ねじ部２２ａ先端と前記雄ねじ部材２４の先端との間に挟んで固定するようにしている。また、該電線固定ボルト２２の頭部２２ｂと雌ねじ部材２１の先端部２１ｂとの間の雄ねじ部２２ａには、前記端子固定ナット２３が螺合しており、端子固定ナット２３の雌ねじ部材２１側にはワッシャ２９ａ，２９ｂが装着されている。端子固定ナット２３は、雌ねじ部材２１の先端部２１ｂとの間で電線先端に装着された圧着端子３０をワッシャ２９ａ，２９ｂを介して挟み込むことにより固定するものであり、端子固定ナット２３には、図４に示すように、該端子固定ナット２３の二面幅Ｓを、電線固定ボルト２２の頭部２２ｂの対角線長さｅより大きくしたものが用いられている。
【００１５】
本形態例に示す端子固定ナット２３は、電線固定ボルト２２に対応した規格のナット２３ａと、該ナット２３ａの外側に取り付けられた拡頭部材２３ｂとにより形成されている。例えば、ねじの呼びがＭ１２の場合、電線固定ボルト２２の頭部２２ｂと端子固定ナット２３のナット２３ａとは同じ形状であり、電線固定ボルト２２の頭部２２ｂの対角線長さｅは約２０ｍｍであるから、二面幅Ｓが２０ｍｍ以上となる拡頭部材２３ｂをナット２３ａの外側に取り付けて端子固定ナット２３とする。この場合、拡頭部材２３ｂの大きさや形状は、二面幅Ｓが２０ｍｍ以上であれば任意に選択することができるが、通常は、電線固定ボルト２２や端子固定ナット２３を締め付ける際の工具の規格を考慮し、電線固定ボルト２２のねじの呼びがＭ１２であるとすれば、ねじの呼びがＭ１６のナット（二面幅２４ｍｍ）に対応した外形を有する拡頭部材２３ｂを用いることが好ましい。
【００１６】
本形態例に示す拡頭部材２３ｂは、レンチでの締め付けに耐えられる厚さの金属板を加工し、内側にナット２３ａの外形に対応した六角形状の通孔２３ｃを形成し、外側に電線固定ボルト２２の頭部２２ｂの対角線長さｅより大きな二面幅を有する六角形状の係合面２３ｄを形成したものであって、例えば、打ち抜き孔２３ｃは、ねじの呼びがＭ１２のナットの外形寸法に対応した形状に形成され、係合面２３ｄは、ねじの呼びがＭ１６のナットの外形寸法に対応した形状に形成している。ナット２３ａと拡頭部材２３ｂとは、通常は溶接によって一体化するが、嵌着や接着などの適宜な固着手段によって一体化することができる。
【００１７】
このように形成した出力端子１２に裸電線２８と圧着端子３０とを接続する場合、まず、端子固定ナット２３が雄ねじ部２２ａの頭部側に螺合した状態の電線固定ボルト２２を、端子板１１に固定されている雌ねじ部材２１から取り外し、雄ねじ部２２ａにワッシャ２９ａ，２９ｂ及び圧着端子３０を装着した後、雄ねじ部２２ａを雌ねじ部材２１に螺着する。また、雌ねじ部材２１の電線挿通孔２７に裸電線２８を挿入した後、電線固定ボルト２２を、電線固定ボルト２２のサイズに対応した工具、例えばＭ１２のソケット３１を装着したラチェットにより締め付け、雄ねじ部２２ａの先端で裸電線２８を圧着して固定する。
【００１８】
次に、拡頭部材２３ｂのサイズに対応した工具、例えば、前記ソケットをＭ１６のソケット３２に交換したラチェットを使用し、ソケットを電線固定ボルト２２の上から被せるようにして拡頭部材２３ｂの係合面２３ｄに係合させた後、ラチェットを操作して端子固定ナット２３を雌ねじ部材２１の方向に締め付け、ワッシャ２９ａ，２９ｂを介して雌ねじ部材２１と端子固定ナット２３との間で圧着端子３０を固定する。このとき、端子固定ナット２３の二面幅Ｓを電線固定ボルト２２の頭部２２ｂの対角線長さｅより大きくしているので、端子固定ナット２３を締め付けるソケットが電線固定ボルト２２の頭部２２ｂに干渉することはなく、端子固定ナット２３のみを確実に締め付けることができる。
【００１９】
前述のように、ケーシング前面板から凹んだ状態で設けられた端子板１１の出力端子１２において、端子固定ナット２３のサイズが電線固定ボルト２２と同じサイズの場合、端子固定ナット２３の締め付けには先端が開放したスパナを使用しなければならず、スペースの関係で何回もスパナを着脱して端子固定ナット２３の締結操作を繰り返す必要があり、端子固定ナット２３の締め付けに多大な手間を要するが、電線固定ボルト２２の雄ねじ部２２ａに螺合した端子固定ナット２３の二面幅Ｓを、電線固定ボルト２２の対角線長さｅより大きくしているので、例えば、ラチェットハンドルに装着するソケットを交換するだけで電線固定ボルト２２及び端子固定ナット２３をそれぞれ締め付けることができ、一つの出力端子１２に裸電線２８と圧着端子３０とを容易かつ確実に接続することができる。また、電線接続後は、端子固定ナット２３が電線固定ボルト２２の緩み止めとしても作用する。
【００２０】
なお、圧着端子３０として先開形（Ｙ形）の圧着端子を使用した場合は、雌ねじ部材２１から電線固定ボルト２２を取り外すことなく、端子固定ナット２３を緩めるだけで圧着端子を接続することができる。また、複数の圧着端子を接続することも可能である。さらに、雌ねじ部材２１と雄ねじ部材２４とをボルトのような形状に一体形成し、雌ねじ部材部分から突出する雄ねじ部材部分を端子板前面側から通孔１１ａに挿通し、端子板後面側に突出する雄ねじ部材部分に前記第１ナット２５を螺着して端子板１１に取り付けるようにしてもよい。
【００２１】
図７は、端子固定ナットの他の形態例を示すもので、本形態例に示す拡頭部材４１は、中央にボルト挿通孔４１ａを有する六角形の基板４１ｂの対向する二辺に設けた延出部４１ｃ，４１ｃを、一方向に向けてそれぞれ基板４１ｂに対して直角に折り曲げた形状に形成されており、折り曲げた延出部４１ｃ，４１ｃの間でナット４２の対向する二面４２ａを挟み込むことにより、電線固定ボルト２２の頭部対角線長さより大きい二面幅を有する端子固定ナット４３を形成している。
【００２２】
このように、電線固定ボルトと同じサイズのナットに適宜な形状、構造の拡頭部材を装着することにより、二面幅が電線固定ボルトの対角線長さより大きい端子固定ナットを容易に得ることができる。また、端子固定ナットの外形は、工具によって締め付けることができれば、正方形などの多角形状にすることもできる。さらに、拡頭部材を使用せずに、単体で、二面幅が電線固定ボルトの頭部対角線長さより大きいナット部材を製造し、このナット部材を端子固定ナットとして使用することも可能である。
【００２３】
なお、周囲にスパナを操作するのに十分なスペースがある端子の場合には、電線固定ボルトの頭部と同じサイズの端子固定ナットを用いることができる。また、雌ねじ部材の形状は円柱状に限らず、角柱状であってもよく、基部の端子板への固定構造も任意であり、内周の雌ねじが雌ねじ部材を貫通していなくてもよい。さらに、電線固定ボルトは六角ボルト以外のボルト、例えば六角穴付ボルトなどを使用することもでき、電圧や電流などの条件に応じて適宜な雌ねじ部材及び電線固定ボルトを選定することができる。また、端子は、前記圧着端子以外の端子でもよく、例えば、電線の先端に溶接される端子であってもよい。
【符号の説明】
【００２４】
１１…端子板、１１ａ…通孔、１２…出力端子、１３…エンジン発電機、１４…ケーシング、１５…負荷側電線、１６…出力端子台、１７…出力端子台カバー、１８…発電機側電線、１８ａ…圧着端子、２１…雌ねじ部材、２１ａ…基部、２１ｂ…先端部、２２…電線固定ボルト、２２ａ…雄ねじ部、２２ｂ…頭部、２３…端子固定ナット、２３ａ…ナット、２３ｂ…拡頭部材、２３ｃ…通孔、２３ｄ…係合面、２４…雄ねじ部材、２４ａ…先端部、２４ｂ…基端部、２５…第１ナット、２６…第２ナット、２７…電線挿通孔、２８…裸電線、２９ａ，２９ｂ…ワッシャ、３０…圧着端子、３１…Ｍ１２のソケット、３２…Ｍ１６のソケット、４１…拡頭部材、４１ａ…ボルト挿通孔、４１ｂ…基板、４１ｃ…延出部、４２…ナット、４２ａ…二面、４３…端子固定ナット、ｅ…対角線長さ、Ｓ…二面幅
【図１】
2011054414.tif 000003
【図２】
2011054414.tif 000004
【図３】
2011054414.tif 000005
【図４】
2011054414.tif 000006
【図５】
2011054414.tif 000007
【図６】
2011054414.tif 000008
【図７】
2011054414.tif 000009